(57)【要約】【課題】ディスク型記録媒体が再生されているか否かを容易に判断することが可能であるとともに、ディスク型記録媒体の再生が停止された場合に、表示部の消費電力を抑制することが可能なディスク装置付テレビジョン装置を提供する。【解決手段】このＤＶＤ一体型液晶テレビジョン装置１（ディスク装置付テレビジョン装置）は、筐体２に内蔵され、ＤＶＤ１００が再生中か否かを示すディスク再生情報を含むディスク情報を送信可能なディスク装置側制御部５２を含む内蔵ＤＶＤ録画再生装置５０と、内蔵ＤＶＤ録画再生装置５０により再生された映像および画像を表示する表示部５と、ＤＶＤ側制御部５２から送信されるディスク情報に基づいて、ＤＶＤ１００が再生中か否かを判断し、ＤＶＤ１００が再生中でない場合には、ＤＶＤ１００が再生中である場合よりも表示部５の表示の明るさを下げることにより消費電力が少なくなるように制御するテレビ側制御部１２とを備える。【選択図】図３
2010252018.tif 000002
【特許請求の範囲】
【請求項１】
テレビジョン放送を受信可能な受信部を含む筐体と、
前記筐体に内蔵され、ディスク型記録媒体を再生可能なディスク装置と、
前記受信部により受信されるテレビジョン放送と、前記ディスク装置により再生された映像および画像とを表示する表示部と、
前記ディスク装置に設けられ、前記ディスク型記録媒体が再生中か否かを示すディスク再生情報を含むディスク情報を送信可能なディスク装置側制御部と、
前記ディスク装置側制御部から送信されるディスク情報を受信するとともに、前記ディスク情報に基づいて、前記ディスク装置が前記ディスク型記録媒体を再生中か否かを判断するとともに、前記ディスク装置が前記ディスク型記録媒体を再生中でない場合には、前記ディスク装置が前記ディスク型記録媒体を再生中である場合よりも前記表示部の表示の明るさを下げることにより消費電力が少なくなるように制御するテレビ側制御部とを備える、ディスク装置付テレビジョン装置。
【請求項２】
前記ディスク情報は、前記ディスク型記録媒体が再生中か否かを示すディスク再生情報に加えて、前記ディスク型記録媒体が有するデータの種類を示すコンテンツ情報を含み、
前記テレビ側制御部は、前記ディスク装置からの前記コンテンツ情報により前記ディスク型記録媒体が映像データまたは画像データを含むと判断した場合に、前記ディスク装置側制御部から送信される前記ディスク再生情報に基づいて、前記ディスク装置が前記ディスク型記録媒体を再生中か否かを判断するとともに、前記ディスク装置が前記ディスク型記録媒体を再生中でない場合には、前記ディスク装置が前記ディスク型記録媒体を再生中である場合よりも前記表示部の表示の明るさを下げることにより消費電力が少なくなるように制御するように構成されている、請求項１に記載のディスク装置付テレビジョン装置。
【請求項３】
前記テレビ側制御部は、前記ディスク装置からの前記コンテンツ情報により前記ディスク型記録媒体が映像データまたは画像データを含まないと判断した場合には、前記ディスク装置により前記ディスク型記録媒体が再生中であるか否かの判断を行わずに、前記ディスク装置が前記ディスク型記録媒体を再生中である場合よりも前記表示部の表示の明るさを下げることにより消費電力が少なくなるように制御するように構成されている、請求項２に記載のディスク装置付テレビジョン装置。
【請求項４】
前記テレビ側制御部は、前記ディスク装置側制御部から送信されるディスク情報を受信する第１制御部と、前記第１制御部と接続されるとともに、前記第１制御部から送信されるディスク情報に基づいて、前記表示部を制御する信号を送信する第２制御部とを含む、請求項１〜３のいずれか１項に記載のディスク装置付テレビジョン装置。
【請求項５】
前記ディスク装置のディスク装置側制御部は、所定の時間間隔で前記ディスク型記録媒体のディスク再生情報を含むディスク情報を前記テレビ側制御部に送信するように構成されている、請求項１〜４のいずれか１項に記載のディスク装置付テレビジョン装置。
【請求項６】
前記表示部は、液晶表示パネルと、前記液晶表示パネルの光源として機能するバックライトとを含み、
前記テレビ側制御部は、前記ディスク装置が前記ディスク型記録媒体を再生中でない場合には、前記液晶表示パネルの輝度および前記バックライトの光量を小さくすることにより、前記表示部の消費電力を小さくするように構成されている、請求項１〜５のいずれか１項に記載のディスク装置付テレビジョン装置。
【発明の詳細な説明】
【技術分野】
【０００１】
この発明は、ディスク装置付テレビジョン装置に関し、特に、ディスク装置により再生された映像および画像を表示する表示部を備えたディスク装置付テレビジョン装置に関する。
【背景技術】
【０００２】
従来、ディスク装置により再生された映像および画像を表示する表示部を備えたディスク装置付テレビジョン装置などが知られている（たとえば、特許文献１〜４参照）。
【０００３】
上記特許文献１では、記録ディスクを再生可能な記録ディスク再生装置と、記録ディスク再生装置により再生された映像を表示する表示手段と、記録ディスク再生装置により再生される記録ディスクに格納されているデータが映像を含まない場合には、表示手段の消費電力が少なくなるように制御する本体側制御手段とを備えたＤＶＤ一体型液晶テレビ（ディスク装置付テレビジョン装置）が開示されている。
【０００４】
また、上記特許文献２では、ディスクの有無を検知するサブマイクロコンピュータを有し、ディスクを再生可能なディスクローダ部と、サブマイクロコンピュータに動作信号を送信するメインマイクロコンピュータを有し、ディスクローダ部により再生された映像および音声を出力するテレビ部とを備えたディスクローダ内蔵パネル型テレビ装置（ディスク装置付テレビジョン装置）が開示されている。このディスクローダ内蔵パネル型テレビ装置では、装置の電源がオン状態の場合、サブマイクロコンピュータによりディスクローダ部中のディスクの有無が検知される一方、電源がオフ状態の場合には、メインマイクロコンピュータによりディスクの有無が検知されるように構成されている。
【０００５】
また、上記特許文献３では、ユーザの操作により記憶部に記憶された映像が再生されることにより映像を表示する表示部と、表示部における映像の再生状態が停止している場合で、かつ、電話の受信やユーザによる機器の操作などに起因する機器の状態変化が所定の時間検出されない場合に、表示部の照度を小さくするように表示制御部を制御するＣＰＵとを備えた電子機器（携帯電話）が開示されている。
【０００６】
また、上記特許文献４では、記録ディスクを再生可能な記録ディスク再生装置と、記録ディスク再生装置により再生された映像を表示する表示部と、記録ディスク再生装置により再生される記録ディスクが映像データの記録されていない音楽ＣＤである場合には、表示部の発光輝度を通常状態よりも小さくするように制御する制御部とを備えた記録ディスク再生装置付映像表示装置（ディスク装置付テレビジョン装置）が開示されている。
【先行技術文献】
【特許文献】
【０００７】
【特許文献１】特開２００７−１６６３０１号公報
【特許文献２】特開２００７−４２１９９号公報
【特許文献３】特開２００５−１１７１７２号公報
【特許文献４】特開２００５−８４２１５号公報
【発明の概要】
【発明が解決しようとする課題】
【０００８】
しかしながら、上記特許文献１によるＤＶＤ一体型液晶テレビ（ディスク装置付テレビジョン装置）では、記録ディスク再生装置により再生される記録ディスクが映像データを含む場合で、かつ、記録ディスク（映像データ）の再生が停止された場合、ユーザが視聴しない状態の画面が表示手段に表示され続けると考えられる。この場合、ユーザが映像データを視聴していない状態であるにも関わらず、表示手段の消費電力は、記録ディスクが再生中の場合と同等のレベルに保たれたままの状態であると考えられる。このため、記録ディスクの再生が停止された場合に、表示手段の消費電力を抑制するのが困難であるという問題点がある。
【０００９】
また、上記特許文献２によるディスクローダ内蔵パネル型テレビ装置（ディスク装置付テレビジョン装置）では、ディスクローダ部によりディスクの再生が停止された場合、ユーザが視聴しない状態の画面がテレビ部に表示され続けると考えられる。この場合、ユーザがディスクの再生映像を視聴していない状態であるにも関わらず、テレビ部の消費電力は、ディスクが再生中の場合と同等のレベルに保たれたままの状態であると考えられる。このため、ディスクの再生が停止された場合に、テレビ部の消費電力を抑制するのが困難であるという問題点があると考えられる。
【００１０】
また、上記特許文献３は、記憶部からデータを読み出して再生する機能と、再生中であるか否かを判断する機能とを携帯電話の１つの同一の制御部（ＣＰＵ）で実行する構成であると考えられるため、ディスク装置側制御部とテレビ側制御部とが独立して設けられ、かつ、ディスク装置はディスク装置側制御部により制御される構成に、特許文献３の１つの制御部により再生し、かつ、再生中であるか否かを判別する構成を適用しても、１つのテレビ側の制御部のみでディスク装置が再生状態か否かを判別するのは困難であると考えられる。
【００１１】
また、上記特許文献４による記録ディスク再生装置付映像表示装置（ディスク装置付テレビジョン装置）では、記録ディスク再生装置により再生される記録ディスクが音楽ＣＤではなく、映像データおよび画像データを含む場合で、かつ、記録ディスクの再生が停止された場合に、ユーザが視聴しない状態の画面が表示部に表示され続けると考えられる。この場合、ユーザが映像データおよび画像データを視聴していない状態であるにも関わらず、表示部の消費電力は、記録ディスクが再生中の場合と同等のレベルに保たれたままの状態であると考えられる。このため、記録ディスクの再生が停止された場合に、表示部の消費電力を抑制するのが困難である場合があるという問題点がある。
【００１２】
この発明は、上記のような課題を解決するためになされたものであり、この発明の１つの目的は、ディスク装置が再生状態か否かを判別しながら、ディスク装置の再生が停止された場合に、表示部の消費電力を抑制することが可能なディスク装置付テレビジョン装置を提供することである。
【課題を解決するための手段および発明の効果】
【００１３】
この発明の一の局面によるディスク装置付テレビジョン装置は、テレビジョン放送を受信可能な受信部を含む筐体と、筐体に内蔵され、ディスク型記録媒体を再生可能なディスク装置と、受信部により受信されるテレビジョン放送と、ディスク装置により再生された映像および画像とを表示する表示部と、ディスク装置に設けられ、ディスク型記録媒体が再生中か否かを示すディスク再生情報を含むディスク情報を送信可能なディスク装置側制御部と、ディスク装置側制御部から送信されるディスク情報を受信するとともに、ディスク情報に基づいて、ディスク装置がディスク型記録媒体を再生中か否かを判断するとともに、ディスク装置がディスク型記録媒体を再生中でない場合には、ディスク装置がディスク型記録媒体を再生中である場合よりも表示部の表示の明るさを下げることにより消費電力が少なくなるように制御するテレビ側制御部とを備える。
【００１４】
この発明の一の局面によるテレビジョン装置では、上記のように、筐体に内蔵されたディスク型記録媒体を再生可能なディスク装置が再生中か否かを示すディスク再生情報を含むディスク情報を送信可能なディスク装置側制御部と、ディスク装置側制御部から送信されるディスク情報を受信するテレビ側制御部とを設けることによって、ディスク装置のディスク装置側制御部からディスク装置がディスク型記録媒体を再生しているか否かを示すディスク再生情報を含むディスク情報がテレビ側制御部に送信されるので、テレビ側制御部は、ディスク装置側制御部から伝達されるディスク再生情報に基づいて、ディスク装置が再生状態か否かを判別することができる。また、テレビ側制御部を、ディスク型記録媒体が再生中か否かを示すディスク再生情報を含むディスク情報に基づいて、ディスク装置がディスク型記録媒体を再生中か否かを判断するとともに、ディスク装置がディスク型記録媒体を再生中でない場合に、ディスク装置がディスク型記録媒体を再生中である場合よりも表示部の表示の明るさを下げることにより消費電力が少なくなるように制御するように構成することによって、ディスク装置の再生が停止された場合に、ディスク装置側制御部に送信されるディスク再生情報に基づいて、表示部の消費電力が少なくなるように制御することができる。
【００１５】
上記一の局面によるディスク装置付テレビジョン装置において、好ましくは、ディスク情報は、ディスク型記録媒体が再生中か否かを示すディスク再生情報に加えて、ディスク型記録媒体が有するデータの種類を示すコンテンツ情報を含み、テレビ側制御部は、ディスク装置からのコンテンツ情報によりディスク型記録媒体が映像データまたは画像データを含むと判断した場合に、ディスク装置側制御部から送信されるディスク再生情報に基づいて、ディスク装置がディスク型記録媒体を再生中か否かを判断するとともに、ディスク装置がディスク型記録媒体を再生中でない場合には、ディスク装置がディスク型記録媒体を再生中である場合よりも表示部の表示の明るさを下げることにより消費電力が少なくなるように制御するように構成されている。このように構成すれば、ディスク装置側制御部から送信されるコンテンツ情報に基づいて、容易に、ディスク型記録媒体に映像データおよび画像データが含まれるか否かを判断することができるので、この判断に基づいて、容易に、表示部の消費電力を抑制することができる。
【００１６】
この場合、好ましくは、テレビ側制御部は、ディスク装置からのコンテンツ情報によりディスク型記録媒体が映像データまたは画像データを含まないと判断した場合には、ディスク装置によりディスク型記録媒体が再生中であるか否かの判断を行わずに、ディスク装置がディスク型記録媒体を再生中である場合よりも表示部の表示の明るさを下げることにより消費電力が少なくなるように制御するように構成されている。このように構成すれば、ディスク装置により再生されるディスク型記録媒体に映像データおよび画像データが含まれないと判断された場合には、テレビ側制御部は、ディスク型記録媒体の再生状態を判断することなく表示部の表示の明るさを下げる制御を行うことができるので、テレビ側制御部の制御負担を軽減することができる。
【００１７】
上記一の局面によるテレビジョン装置において、好ましくは、テレビ側制御部は、ディスク装置側制御部から送信されるディスク情報を受信する第１制御部と、第１制御部と接続されるとともに、第１制御部から送信されるディスク情報に基づいて、表示部を制御する信号を送信する第２制御部とを含む。このように構成すれば、テレビ側制御部を、ディスク装置側制御部から送信されるディスク情報を受信する制御を行う第１制御部と、表示部に対して制御信号を送信する制御を行う第２制御部とに分割することができるので、テレビ側制御部の第１制御部および第２制御部のどちらか一方の制御負荷が大きくなりすぎるのを抑制することができる。
【００１８】
上記一の局面によるディスク装置付テレビジョン装置において、好ましくは、ディスク装置のディスク装置側制御部は、所定の時間間隔でディスク型記録媒体のディスク再生情報を含むディスク情報をテレビ側制御部に送信するように構成されている。このように構成すれば、テレビ側制御部は、ディスク再生情報を所定の時間間隔で受信することができるので、所定の時間毎に受信されるディスク再生情報に基づいて、ディスク型記録媒体が再生中であるか否かを所定の時間毎に定期的に判断することができる。これにより、再生中であるか否かについてより正確な判断を行うことができる。
【００１９】
上記一の局面によるディスク装置付テレビジョン装置において、好ましくは、表示部は、液晶表示パネルと、液晶表示パネルの光源として機能するバックライトとを含み、テレビ側制御部は、ディスク装置がディスク型記録媒体を再生中でない場合には、液晶表示パネルの輝度およびバックライトの光量を小さくすることにより、表示部の消費電力を小さくするように構成されている。このように構成すれば、ディスク装置が再生中でない場合に液晶表示パネルの輝度およびバックライトの光量を小さくすることにより、容易に、表示部の消費電力を小さくすることができる。
【図面の簡単な説明】
【００２０】
【図１】本発明の一実施形態によるＤＶＤ一体型液晶テレビジョン装置の全体構成を示した図である。
【図２】図１に示した一実施形態によるＤＶＤ一体型液晶テレビジョン装置のリモコンを示した斜視図である。
【図３】図１に示した一実施形態によるＤＶＤ一体型液晶テレビジョン装置の構成を説明するためのブロック図である。
【図４】図１に示した一実施形態によるＤＶＤ一体型液晶テレビジョン装置の表示部の画質選択時の制御動作を示したフローチャートである。
【発明を実施するための形態】
【００２１】
以下、本発明を具体化した実施形態を図面に基づいて説明する。
【００２２】
図１〜図３を参照して、まず、本発明の一実施形態によるＤＶＤ一体型液晶テレビジョン装置１の構成を説明する。なお、本実施形態では、ディスク装置付テレビジョン装置の一例として、ＤＶＤ一体型液晶テレビジョン装置１について説明する。
【００２３】
本発明の一実施形態によるＤＶＤ一体型液晶テレビジョン装置１は、図１に示すように、筐体２と、筐体２を下方から支持する脚部３と、ＤＶＤ一体型液晶テレビジョン装置１を操作可能なリモコン４とから構成されている。また、筐体２には、映像および画像を表示する液晶パネル５ａと液晶パネル５ａの光源として機能するバックライト５ｂ（図３参照）とを有する表示部５が支持されている。また、筐体２の下部には、リモコン４から送信される光信号を受信する受光部６と、後述するＤＶＤ（デジタル多用途ディスク）１００を内蔵ＤＶＤ録画再生装置５０内に挿入するためのディスク挿入口７とが設けられている。なお、液晶パネル５ａは、本発明の「液晶表示パネル」の一例である。
【００２４】
ここで、本実施形態では、筐体２には、表示部５を含むテレビ部１０と、ＤＶＤ１００を再生する内蔵ＤＶＤ録画再生装置５０とが設置されている。なお、内蔵ＤＶＤ録画再生装置５０は、本発明の「ディスク装置」の一例であり、ＤＶＤ１００は、本発明の「ディスク型記録媒体」の一例である。この内蔵ＤＶＤ録画再生装置５０は、リモコン４によって操作可能に構成されている。
【００２５】
また、リモコン４は、図２に示すように、リモコン４による操作を、テレビ部１０（図１参照）から内蔵ＤＶＤ録画再生装置５０（図１参照）および内蔵ＤＶＤ録画再生装置５０からテレビ部１０に切り換える入力切換ボタン４０と、内蔵ＤＶＤ録画再生装置５０によりＤＶＤ１００（図１参照）の再生を開始させるための再生ボタン４１と、再生を停止させるための停止ボタン４２と、再生を一時停止させるための一時停止ボタン４３とを含んでいる。また、ＤＶＤ一体型液晶テレビジョン装置１は、入力切換ボタン４０がユーザにより押圧されることにより、テレビ部１０（図１参照）から内蔵ＤＶＤ録画再生装置５０（図１参照）に入力が切り換えられると、内蔵ＤＶＤ録画再生装置５０が起動されるように構成されている。
【００２６】
また、ＤＶＤ一体型液晶テレビジョン装置１のテレビ部１０は、図３に示すように、放送局より配信されるテレビジョン放送信号をアンテナ２００から受信する受信部１１と、テレビ部１０の制御を司るテレビ側制御部１２と、メモリ１３と、表示部５の液晶パネル５ａを駆動するドライバ１４と、ＤＶＤ一体型液晶テレビジョン装置１の外部に接続される外部ＤＶＤ録画再生装置３００を接続するための外部入力端子１５とを含んでいる。また、テレビ側制御部１２には、液晶パネル５ａの光源となるバックライト５ｂが接続されている。
【００２７】
また、内蔵ＤＶＤ録画再生装置５０は、ＤＶＤ１００（図１参照）に記録された映像（画像）データを読み出して再生するとともにＤＶＤ１００に対してテレビ放送などの映像（画像）データを書き込む（録画する）録画再生部５１と、テレビ側制御部１２と通信するとともに、内蔵ＤＶＤ録画再生装置５０の制御を司るＤＶＤ側制御部５２とを含む。なお、ＤＶＤ側制御部５２は、本発明の「ディスク装置側制御部」の一例である。また、内蔵ＤＶＤ録画再生装置５０のＤＶＤ側制御部５２は、ＤＶＤ１００が再生された際に、録画再生部５１により読み出されたデータを後述するテレビ側制御部１２のメインマイコン１２ａに送信するように構成されている。これにより、テレビ側制御部１２は、内蔵ＤＶＤ録画再生装置５０により再生された映像および画像を表示部５に表示することが可能となる。また、録画再生部５１は、ＤＶＤ１００に加えて、音楽ＣＤも再生可能である。
【００２８】
また、本実施形態では、内蔵ＤＶＤ録画再生装置５０のＤＶＤ側制御部５２は、リモコン４の入力切換ボタン４０（図２参照）が押圧されることにより、内蔵ＤＶＤ録画再生装置５０が起動された後、約１００ｍｓｅｃ間隔でディスク情報をテレビ側制御部１２に送信するように構成されている。ここで、ディスク情報には、ＤＶＤ１００（図１参照）がセットされているか否かを示すディスク有無情報と、ＤＶＤ１００が含むデータ（コンテンツ）の種類（映像、画像または音楽など）を示すコンテンツ情報と、ＤＶＤ１００が回転しているか停止中であるかを示すディスク回転情報と、ＤＶＤ１００が再生中であるか否かを示すディスク再生情報と、ＤＶＤ１００が再生していない場合に表示部５に表示する画面情報を示すスクリーンセーバ情報と、ＤＶＤ１００を再生する場合の映像のアスペクト比（横縦比）を示すアスペクト比情報と、ＤＶＤ１００が再生している場合にメニュー画面を表示するか否かの情報を示すメニュー情報とが含まれている。
【００２９】
ここで、本実施形態では、上記したようにＤＶＤ１００が再生中であるか停止中であるかを示すディスク再生情報がディスク情報として、内蔵ＤＶＤ録画再生装置５０からテレビ側制御部１２に送信される。このようなディスク再生情報は、本実施形態のＤＶＤ一体型液晶テレビジョン装置１のように、内蔵ＤＶＤ録画再生装置５０を一体的に含むタイプで、テレビ側制御部１２とＤＶＤ側制御部５２との緊密な連携が可能な場合のみＤＶＤ側制御部５２からテレビ側制御部１２に送信可能である。したがって、外部入力端子１５に接続される一般的な外部ＤＶＤ録画再生装置３００からＤＶＤが再生中であるか停止中であるかを示すディスク再生情報をテレビ側制御部１２に送信するのは困難である。すなわち、外部ＤＶＤ録画再生装置３００の場合は、ＤＶＤが停止していても映像信号がテレビ側制御部１２に入ってくるので、外部ＤＶＤ録画再生装置３００のＤＶＤが再生中か停止中かを判別するのは困難である。
【００３０】
また、本実施形態では、テレビ側制御部１２は、メインマイコン１２ａとサブマイコン１２ｂとを有しており、メインマイコン１２ａとサブマイコン１２ｂとにより、処理動作を分担するように構成されている。具体的には、サブマイコン１２ｂは、受光部６からのリモコン４による操作信号を受け取ってメインマイコン１２ａに送信する機能と、内蔵ＤＶＤ録画再生装置５０のＤＶＤ側制御部５２からのディスク情報を取得するとともに、ディスク情報をメインマイコン１２ａに送信する機能とを有している。また、メインマイコン１２ａは、サブマイコン１２ｂからのリモコン４の操作信号に基づいて、表示部５を制御する信号をドライバ１４およびバックライト５ｂに送信するとともに、内蔵ＤＶＤ録画再生装置５０を制御する信号をＤＶＤ側制御部５２に送信するように構成されている。また、メインマイコン１２ａは、受信部１１と接続されており、受信部１１により受信されたテレビジョン放送信号に基づいて、受信部１１により受信されたテレビジョン放送信号に対応する番組を表示部５に表示するように構成されている。なお、メインマイコン１２ａは、本発明の「第２制御部」の一例であり、サブマイコン１２ｂは、本発明の「第１制御部」の一例である。
【００３１】
また、内蔵ＤＶＤ録画再生装置５０のＤＶＤ側制御部５２とテレビ側制御部１２のメインマイコン１２ａとはシリアル通信によって通信可能に接続されている。また、ＤＶＤ側制御部５２とサブマイコン１２ｂとは、シリアル通信によって通信可能に接続されている。また、メインマイコン１２ａとサブマイコン１２ｂとは、ＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）によって通信可能に接続されている。なお、ＵＡＲＴとは、シリアル信号からパラレル信号への変換およびパラレル信号からシリアル信号への変換を行うための集積回路である。
【００３２】
また、本実施形態では、テレビ側制御部１２のメインマイコン１２ａは、表示部５にテレビジョン放送による映像および内蔵ＤＶＤ録画再生装置５０のＤＶＤ１００（図１参照）の再生による映像を表示する際には、通常画質モードを選択するように構成されている。一方、メインマイコン１２ａは、内蔵ＤＶＤ録画再生装置５０によりＤＶＤ１００（図１参照）が再生されるように設定がされている状態で、ＤＶＤ１００が再生されていない場合（停止している場合）には、表示部５の表示の明るさを下げるとともに、表示部５の消費電力を小さくする省電力モードを選択するように構成されている。なお、テレビ側制御部１２は、ＤＶＤ１００の回転が停止しているとともに、停止中に画像（映像）が表示されている場合でも再生中ではないので、省電力モードを選択するように構成されている。この省電力モードでは、メインマイコン１２ａは、通常画質モードよりも液晶パネル５ａに印加する電圧を小さくすることにより輝度を小さくするとともに、バックライト５ｂの光量を小さくすることにより、表示部５の表示の明るさを下げるように構成されている。
【００３３】
次に、図１〜図４を参照して、本実施形態によるＤＶＤ一体型液晶テレビジョン装置１の制御動作について説明する。
【００３４】
まず、図４に示すように、ステップＳ１において、テレビ側制御部１２（図３参照）により、内蔵ＤＶＤ録画再生装置５０（図３参照）のＤＶＤ側制御部５２（図３参照）からディスク情報がサブマイコン１２ｂ（図３参照）により取得されたか否かが判断される。このステップＳ１では、ユーザによりリモコン４（図２参照）の入力切換ボタン４０（図２参照）が押圧され、内蔵ＤＶＤ録画再生装置５０が起動されていれば、ＤＶＤ側制御部５２からサブマイコン１２ｂにディスク情報が送信されるので、サブマイコン１２ｂが内蔵ＤＶＤ録画再生装置５０のＤＶＤ側制御部５２からディスク情報が取得されたと判断された場合には、内蔵ＤＶＤ録画再生装置５０が起動されていると判断されてステップＳ２に移行する。また、ステップＳ１において、内蔵ＤＶＤ録画再生装置５０のＤＶＤ側制御部５２からディスク情報がサブマイコン１２ｂにより受信されていないと判断された場合には、ステップＳ１の判断が繰り返される。
【００３５】
そして、ステップＳ２では、テレビ側制御部１２により、内蔵ＤＶＤ録画再生装置５０にセットされているＤＶＤ１００（図１参照）または音楽ＣＤのディスクのデータ（コンテンツ）が映像または画像を含むか否かが判断される。このステップＳ２では、内蔵ＤＶＤ録画再生装置５０のＤＶＤ側制御部５２からテレビ側制御部１２のサブマイコン１２ｂに送信されるディスク情報に含まれるコンテンツ情報に基づいて、ＤＶＤ１００または音楽ＣＤのディスクのコンテンツが認識されるとともに、内蔵ＤＶＤ録画再生装置５０にＤＶＤ１００または音楽ＣＤのディスクがセットされているか否かを示すディスク有無情報に基づいて、ＤＶＤ１００または音楽ＣＤが内蔵ＤＶＤ録画再生装置５０にセットされているか否かについても判断されている。そして、ステップＳ２において、ＤＶＤ１００または音楽ＣＤのディスクが内蔵ＤＶＤ録画再生装置５０にセットされているとともに、内蔵ＤＶＤ録画再生装置５０にセットされているＤＶＤ１００または音楽ＣＤのディスクのコンテンツが映像または画像を含むと判断された場合には、ステップＳ３に移行する。また、ＤＶＤ１００または音楽ＣＤが内蔵ＤＶＤ録画再生装置５０にセットされていない、または、内蔵ＤＶＤ録画再生装置５０にセットされているＤＶＤ１００や音楽ＣＤなどのディスクのコンテンツが映像または画像を含まない場合（たとえば音楽データのみである場合や録画再生部５１（図３参照）が読取可能なデータを含まない場合）には、ステップＳ５に移行して、液晶パネル５ａ（図３参照）に印加する電圧を小さくすることにより輝度を小さくするとともに、バックライト５ｂ（図３参照）の光量を小さくすることにより、表示部５（図３参照）の消費電力を小さくする省電力モードが選択される。
【００３６】
ここで、本実施形態では、ステップＳ２で、コンテンツが映像または画像であり、ＤＶＤ１００がセットされていると判断された場合に、ステップＳ３において、内蔵ＤＶＤ録画再生装置５０によりＤＶＤ１００が再生されているか否かが判断される。このステップＳ３では、内蔵ＤＶＤ録画再生装置５０のＤＶＤ側制御部５２からテレビ側制御部１２のサブマイコン１２ｂに送信されるディスク情報に含まれるディスク再生情報に基づいて、ＤＶＤ１００が再生されているか否かが判断される。そして、内蔵ＤＶＤ録画再生装置５０によりＤＶＤ１００が再生されていると判断された場合には、ステップＳ４に移行して、通常画質モードが選択されて、処理が終了される。また、内蔵ＤＶＤ録画再生装置５０によりＤＶＤ１００が再生されていないと判断された場合には、ステップＳ５に移行して、表示部５の消費電力を小さくする省電力モードが選択されて、処理が終了される。
【００３７】
なお、一連の処理動作が終了した後には、リモコン４の操作に応じてステップＳ１に戻り、処理が繰り返される。
【００３８】
本実施形態では、上記のように、筐体２に内蔵され、ＤＶＤ１００を再生する内蔵ＤＶＤ録画再生装置５０と、内蔵ＤＶＤ録画再生装置５０に設けられ、ＤＶＤ１００が再生中か否かを示すディスク再生情報を含むディスク情報を送信可能なＤＶＤ側制御部５２と、ＤＶＤ側制御部５２から送信されるディスク情報を受信するテレビ側制御部１２とを設けることによって、内蔵ＤＶＤ録画再生装置５０のＤＶＤ側制御部５２からＤＶＤ１００が再生しているか否かを示すディスク再生情報を含むディスク情報がテレビ側制御部１２に送信されるので、テレビ側制御部１２は、ＤＶＤ側制御部５２から伝達されるディスク再生情報に基づいて、内蔵ＤＶＤ録画再生装置５０の再生状態を判別することができる。また、テレビ側制御部１２を、ＤＶＤ１００が再生中か否かを示すディスク再生情報を含むディスク情報に基づいて、内蔵ＤＶＤ録画再生装置５０がＤＶＤ１００を再生中か否かを判断するとともに、内蔵ＤＶＤ録画再生装置５０がＤＶＤ１００を再生中でない場合には、内蔵ＤＶＤ録画再生装置５０がＤＶＤ１００を再生中である場合よりも表示部５の表示の明るさを下げることにより消費電力が少なくなるように制御するように構成することによって、内蔵ＤＶＤ録画再生装置５０の再生が停止された場合に、ＤＶＤ側制御部５２に送信されるディスク再生情報に基づいて、表示部５の消費電力が少なくなるように制御することができる。
【００３９】
また、本実施形態では、上記のように、ディスク情報は、ＤＶＤ１００が再生中か否かを示すディスク再生情報に加えて、ＤＶＤ１００が有するデータの種類を示すコンテンツ情報を含み、テレビ側制御部１２を、内蔵ＤＶＤ録画再生装置５０からのコンテンツ情報によりＤＶＤ１００が映像データまたは画像データを含むと判断した場合に、ＤＶＤ側制御部５２から送信されるディスク再生情報に基づいて、内蔵ＤＶＤ録画再生装置５０がＤＶＤ１００を再生中か否かを判断するとともに、内蔵ＤＶＤ録画再生装置５０がＤＶＤ１００を再生中でない場合には、内蔵ＤＶＤ録画再生装置５０がＤＶＤ１００を再生中である場合よりも表示部５の表示の明るさを下げることにより消費電力が少なくなるように制御するように構成することによって、ＤＶＤ側制御部５２から送信されるコンテンツ情報に基づいて、容易に、ＤＶＤ１００に映像データおよび画像データが含まれるか否かを判断することができるので、この判断に基づいて、表示部５の消費電力を抑制することができる。
【００４０】
また、本実施形態では、上記のように、テレビ側制御部１２を、内蔵ＤＶＤ録画再生装置５０からのコンテンツ情報によりＤＶＤ１００が映像データまたは画像データを含まないと判断した場合には、内蔵ＤＶＤ録画再生装置５０によりＤＶＤ１００が再生中であるか否かの判断を行わずに、内蔵ＤＶＤ録画再生装置５０がＤＶＤ１００を再生中である場合よりも表示部５の表示の明るさを下げることにより消費電力が少なくなるように制御するように構成することによって、内蔵ＤＶＤ録画再生装置５０により再生されるＤＶＤ１００に映像データおよび画像データが含まれないと判断された場合には、テレビ側制御部１２は、ＤＶＤ１００の再生状態を判断することなく表示部５の表示の明るさを下げる制御を行うことができるので、テレビ側制御部１２の制御負担を軽減することができる。
【００４１】
また、本実施形態では、上記のように、テレビ側制御部１２に、ＤＶＤ側制御部５２から送信されるＤＶＤ１００のディスク情報を受信するサブマイコン１２ｂと、サブマイコン１２ｂと接続されるとともに、サブマイコン１２ｂから送信されるディスク情報に基づいて、表示部５を制御する信号を送信するメインマイコン１２ａとを設けることによって、テレビ側制御部１２を、ＤＶＤ側制御部５２から送信されるディスク情報を受信する制御を行うサブマイコン１２ｂと、表示部５に対して制御信号を送信する制御を行うメインマイコン１２ａとに分割することができるので、テレビ側制御部１２のサブマイコン１２ｂおよびメインマイコン１２ａのどちらか一方の制御負荷が大きくなりすぎるのを抑制することができる。
【００４２】
また、本実施形態では、上記のように、内蔵ＤＶＤ録画再生装置５０のＤＶＤ側制御部５２を、約１００ｍｓｅｃ間隔でＤＶＤ１００または音楽ＣＤのディスク再生情報を含むディスク情報をテレビ側制御部１２に送信するように構成することによって、テレビ側制御部１２は、ディスク再生情報を約１００ｍｓｅｃ間隔で受信するので、約１００ｍｓｅｃ毎に受信されるディスク再生情報に基づいて、ＤＶＤ１００または音楽ＣＤが再生中であるか否かを約１００ｍｓｅｃごとに定期的に判断することができる。これにより、再生中であるか否かについてより正確な判断を行うことができる。
【００４３】
また、本実施形態では、上記のように、表示部５に、液晶パネル５ａと、液晶パネル５ａの光源として機能するバックライト５ｂとを設け、テレビ側制御部１２を、内蔵ＤＶＤ録画再生装置５０がＤＶＤ１００を再生中でない場合には、液晶パネル５ａの輝度およびバックライト５ｂの光量を小さくすることにより、表示部５の消費電力を小さくするように構成することによって、内蔵ＤＶＤ録画再生装置５０が再生中でない場合に液晶パネル５ａの輝度およびバックライト５ｂの光量を小さくすることにより、容易に、表示部５の消費電力を小さくすることができる。
【００４４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４５】
たとえば、上記実施形態では、ディスク装置付液晶テレビジョン装置に内蔵されるディスク装置の一例として、ＤＶＤ録画再生装置を示したが、本発明はこれに限らず、ブルーレイディスク録画再生装置、ＨＤＤＶＤ録画再生装置およびＨＤＤ装置など、ＤＶＤ録画再生装置以外のディスク装置が内蔵されたテレビジョン装置にも適用可能である。
【００４６】
また、上記実施形態では、ディスク装置を内蔵するテレビジョン装置の一例として、液晶パネルを有する液晶テレビジョン装置を示したが、本発明はこれに限らず、ディスク装置を内蔵可能で、かつ、表示の明るさを調整可能な表示部を有するテレビジョン装置であれば、ブラウン管テレビジョン、プラズマテレビジョンおよびリアプロジェクションテレビジョンなどの、液晶テレビジョン以外のテレビジョン装置にも適用可能である。
【００４７】
また、上記実施形態では、内蔵ＤＶＤ録画再生装置によりセットされたＤＶＤが映像および画像を含まない場合（音楽データのみである場合および読み込み可能なデータを含まない場合）、省電力モードが選択される例を示したが、本発明はこれに限らず、通常画質モードを選択するように構成してもよい。
【００４８】
また、上記実施形態では、テレビ側制御部を、内蔵ＤＶＤ録画再生装置により映像および画像データを含むＤＶＤが再生中でない場合、表示部の液晶パネルの輝度を小さくするとともに、バックライトの照度を小さくすることにより表示部の消費電力を小さくする例を示したが、本発明はこれに限らず、表示部の液晶パネルの輝度とバックライトの照度とのいずれか一方のみを小さくすることにより表示部の消費電力を小さくするように構成してもよい。
【００４９】
また、上記実施形態では、テレビ側制御部を、制御処理を分担することができるようにメインマイコンとサブマイコンとを含むように構成する例を示したが、本発明はこれに限らず、テレビ側制御部を、１つのマイコンにより構成してもよい。
【符号の説明】
【００５０】
１  ＤＶＤ一体型液晶テレビジョン装置（ディスク装置付テレビジョン装置）
２  筐体
５  表示部
５ａ  液晶パネル（液晶表示パネル）
５ｂ  バックライト
１１  受信部
１２  テレビ側制御部
１２ａ  メインマイコン（第２制御部）
１２ｂ  サブマイコン（第１制御部）
５０  内蔵ＤＶＤ録画再生装置（ディスク装置）
５２  ＤＶＤ側制御部（ディスク装置側制御部）
１００  ＤＶＤ（ディスク型記録媒体）
【図１】
2010252018.tif 000003
【図２】
2010252018.tif 000004
【図３】
2010252018.tif 000005
【図４】
2010252018.tif 000006